(57)【要約】【課題】操作性を向上させたレーザ装置を提供する。【解決手段】光ファイバを介してレーザ光をハンドピース５に伝送し，該ハンドピース５に設けられたプローブ２２からレーザ光を照射するレーザ装置１において，ハンドピース本体２０と，前記ハンドピース本体２０に対して回転可能に設けられた回転体２１とを備え，前記プローブ２２を前記回転体２１に取り付けた。かかる構成により，例えば歯牙と歯茎の間等にレーザ光を照射する場合などに，プローブ２２を回転させることで，プローブ２２を患部へ向けやすくなった。【選択図】  図１
2007068718.tif 000002
【特許請求の範囲】
【請求項１】
光伝送路を介してレーザ光をハンドピースに伝送し，該ハンドピースに設けられたプローブからレーザ光を照射するレーザ装置であって，
ハンドピース本体と，前記ハンドピース本体に対して回転可能に設けられた回転体とを備え，
前記プローブが，前記回転体に取り付けられていることを特徴とする，レーザ装置。
【請求項２】
前記回転体は，略円柱面形状をなす外周面を有し，
前記外周面を有する部分は，前記ハンドピース本体に設けられた略円形の開口断面を有する回転体保持穴に回転自在に挿入され，
前記回転体の外周面と前記回転体保持穴の内周面との間に弾性部材が設けられていることを特徴とする，請求項１に記載のレーザ装置。
【請求項３】
前記回転体の外周面と前記回転体保持穴の内周面との間に備える弾性部材の個数及び／又は種類を変更可能な構成としたことを特徴とする，請求項２に記載のレーザ装置。
【請求項４】
前記回転体の先端部は，前記ハンドピース本体の先端部から突出させられ，
前記回転体の先端部から吐出させられる流体を供給する流体供給路が設けられていることを特徴とする，請求項１，２又は３に記載のレーザ装置。
【請求項５】
前記回転体と前記ハンドピース本体との間に空間が形成され，
前記流体を前記空間に供給する流路が設けられ，
前記回転体と前記プローブとの間に隙間が形成され，
前記隙間は，前記回転体の先端部に開口させられ，
前記空間と前記隙間は，前記回転体に設けられた連通孔を介して互いに連通させられ，
前記流体供給路は，前記流路，前記空間，前記連通孔及び前記隙間を備えることを特徴とする，請求項４に記載のレーザ装置。
【請求項６】
前記プローブは，先端側に向かうほど厚みが小さくなるように形成されていることを特徴とする，請求項１〜５のいずれかに記載のレーザ装置。
【発明の詳細な説明】
【技術分野】
【０００１】
本発明は，レーザ装置に関し，特に生体組織にレーザ光を照射する医療用のレーザ装置に関する。
【背景技術】
【０００２】
例えば歯科の治療において，歯牙の窩洞形成，歯石の除去等を行う装置の一種として，レーザ装置が用いられている。かかるレーザ装置は，レーザ光源を内蔵した装置本体に，光ファイバや配管を内蔵した細長い導光部が接続された構成になっている。導光部の先端には，レーザ光を照射するプローブを保持したハンドピースが設けられている。歯牙の窩洞形成等を行う際には，このハンドピースが操作者によって把持され，プローブが歯牙に近接させられ，プローブから患部に対しレーザ光が照射されるようになっている（例えば，特許文献１，２参照。）。
【０００３】
【特許文献１】特開２０００−２３９９９号公報
【特許文献２】特開平５−１４６４５４号公報
【発明の開示】
【発明が解決しようとする課題】
【０００４】
しかしながら，従来のレーザ装置にあっては，例えば歯牙と歯茎の間等にレーザ光を照射する場合などに，プローブを患部へ向けにくいなどの難点があり，操作性の向上が求められていた。
【０００５】
本発明の目的は，操作性を向上させたレーザ装置を提供することにある。
【課題を解決するための手段】
【０００６】
上記課題を解決するため，本発明によれば，光伝送路を介してレーザ光をハンドピースに伝送し，該ハンドピースに設けられたプローブからレーザ光を照射するレーザ装置であって，ハンドピース本体と，前記ハンドピース本体に対して回転可能に設けられた回転体とを備え，前記プローブが，前記回転体に取り付けられていることを特徴とする，レーザ装置が提供される。
【０００７】
前記回転体は，略円柱面形状をなす外周面を有し，前記外周面を有する部分は，前記ハンドピース本体に設けられた略円形の開口断面を有する回転体保持穴に回転自在に挿入され，前記回転体の外周面と前記回転体保持穴の内周面との間に弾性部材が設けられている構成としても良い。さらに，前記回転体の外周面と前記回転体保持穴の内周面との間に備える弾性部材の個数及び／又は種類を変更可能な構成としても良い。
【０００８】
また，前記回転体の先端部は，前記ハンドピース本体の先端部から突出させられ，前記回転体の先端部から吐出させられる流体を供給する流体供給路が設けられた構成としても良い。
【０００９】
前記回転体と前記ハンドピース本体との間に空間が形成され，前記流体を前記空間に供給する流路が設けられ，前記回転体と前記プローブとの間に隙間が形成され，前記隙間は，前記回転体の先端部に開口させられ，前記空間と前記隙間は，前記回転体に設けられた連通孔を介して互いに連通させられ，前記流体供給路は，前記流路，前記空間，前記連通孔及び前記隙間を備えても良い。
【００１０】
前記プローブは，先端側に向かうほど厚みが小さくなるように形成されているチゼル型レーザプローブであっても良い。
【発明の効果】
【００１１】
本発明によれば，ハンドピース本体に対しプローブを回転させることで，患部に対するプローブの向きを好適に調節できる。従って，治療時におけるハンドピースの操作性を向上させることができる。さらに，ハンドピース本体に対しプローブを回転自在にしながらも，ハンドピースから水などの液体を患部に供給可能な構成を実現できる。
【発明を実施するための最良の形態】
【００１２】
以下，本発明の好ましい実施の形態を，歯科用のレーザ装置に基づいて説明する。図１に示すように，本実施の形態にかかるレーザ装置１は，装置本体２と，装置本体２の上面に基端部が取り付けられた可撓性を有する細長い導光部３と，導光部３の先端に取り付けられ，治療時に操作者によって把持されるハンドピース５とを備えている。
【００１３】
装置本体２の内部には，例えば波長２．９４μｍのＥｒ：ＹＡＧ（エルビウムヤグ）レーザ光を発生させるレーザ光源，例えば流体として水を供給する給水機，流体として乾燥用の空気等を供給する空気供給源等の流体供給源（図示せず）が備えられている。
【００１４】
図２に示すように，導光部３の内部には，レーザ光源から出射されたレーザ光をハンドピース５に伝送する光伝送路としての光ファイバ１０，給水機から供給された水を送水する流路としての送水路１１，空気供給源から供給された空気を送気する流路としての送気路１２等が通されている。光ファイバ１０，送水路１１，送気路１２は，装置本体２の内部からハンドピース５の内部まで延設されている。
【００１５】
図２及び図３に示すように，ハンドピース５は，ハンドピース本体２０と，ハンドピース本体２０に対して回転可能に設けられた回転体２１と，回転体２１に取り付けられたプローブ２２とを備えている。
【００１６】
図４に示すように，ハンドピース本体２０は，略円筒形状の外筒２５と，外筒２５の基端側（図示の例では左側）において外筒２５の内側に備えられた略円筒形状の内筒部２６と，外筒２５の先端側（図示の例では右側）の開口を閉塞する蓋体２７とを備えている。
【００１７】
外筒２５は導光部３の先端に対して固定されており，長さ方向を導光部３の長さ方向に向けて備えられている。外筒２５の先端部内周面には，蓋体２７を固定するための雌ネジ溝２８が設けられている。
【００１８】
内筒部２６は外筒２５に対して固定させられており，内筒部２６の外周面は，外筒２５の内周面に対して密着させられている。内筒部２６の先端部内側は，回転体２１の基端側端部を回転自在な状態で保持可能な，略円形の開口断面を有する第一の回転体保持穴２６ａとなっている。
【００１９】
前述した光ファイバ１０の先端は，回転体保持穴２６ａより基端側において，回転体保持穴２６ａの中心と同軸上に配設されている。なお，光ファイバ１０の先端と回転体保持穴２６ａとの間には，図示しないレンズ等が設けられている。また，前述した送水路１１，送気路１２は，内筒部２６の側壁中に通されており，送水路１１の先端開口，送気路１２の先端開口は，内筒部２６の先端側端面においてそれぞれ開口させられている。
【００２０】
蓋体２７は，略円形の環状に形成されたフランジ部２７ａと，フランジ部２７ａの基端側端面の中央部から突設された筒状部２７ｂとを備えている。フランジ部２７ａは，外筒２５の内径より大きな外径を有し，筒状部２７ｂは，外筒２５の内径とほぼ同じ外径を有する略円筒形状に形成されている。筒状部２７ｂの外周面には，雄ネジ溝３１が設けられている。この筒状部２７ｂを外筒２５の先端開口に挿入して，外筒２５の雌ネジ溝２８に雄ネジ溝３１を螺合させることにより，蓋体２７を外筒２５に取り付けることができる。蓋体２７を外筒２５に取り付けたとき，フランジ部２７ａは，外筒２５の先端面を覆うように取り付けられ，外筒２５の開口は，フランジ部２７ａによって閉塞されるようになっている。
【００２１】
フランジ部２７ａの内側と筒状部２７ｂの内側は互いに連通しており，略円形の開口断面形状を有する第二の回転体保持穴３２となっている。回転体保持穴３２は，フランジ部２７ａ及び筒状部２７ｂの中心部に沿って形成されており，一端は筒状部２７ｂの基端側端面に開口させられ，他端はフランジ部２７ａの先端側端面に開口させられている。また，回転体保持穴３２は，小径部３２ａと，小径部３２ａの内径よりも大きな内径を有する大径部３２ｂとを有している。小径部３２ａはフランジ部２７ａの先端側端面に開口させられており，筒状部２７ｂの基端側端面近傍まで延びるように設けられている。大径部３２ｂは，筒状部２７ｂの基端側端面から所定の深さまで設けられている。
【００２２】
回転体２１は，略円筒形状に形成されている。回転体２１の基端側の部分は，前述した回転体保持穴２６ａの内径とほぼ同じ外径を有する略円柱面形状の外周面を備えており，回転体保持穴２６ａ内に挿入可能になっている。また，回転体２１の先端側の部分は，前述した小径部３２ａの内径とほぼ同じ外径を有する略円柱面形状の外周面を備えており，小径部３２ａに挿入可能になっている。また，小径部３２ａに挿入される部分より基端側において，回転体２１の外周面には，フランジ部４０が設けられている。フランジ部４０は，回転体２１の外周面から半径方向に延びる略円環状の板状に形成されており，小径部３２ａの内径より大きく大径部３２ｂに挿入可能な外径，例えば大径部３２ｂの内径とほぼ同じ外径を有する略円柱面形状の外周面を備え，また，回転体２１の長さ方向においては，大径部３２ｂの深さとほぼ同じ厚みを有している。
【００２３】
即ち，回転体２１は，図４に示すように外筒２５に蓋体２７を取り付けた状態のハンドピース本体２０において，ハンドピース本体２０に設けられた回転体保持穴２６ａ，大径部３２ｂ，小径部３２ａ内に基端部，フランジ部４０，フランジ部４０より先端側の部分がそれぞれ入れられた状態で保持される。さらに，回転体２１の基端部，フランジ部４０，フランジ部４０より先端側の部分は，回転体保持穴２６ａ，大径部３２ｂ，小径部３２ａに対してそれぞれ回転自在な状態で保持される。回転体２１の先端部は，小径部３２ａの開口から外部に突出させられ，ハンドピース本体２０の先端部より先端側に延びるように設けられる。
【００２４】
また，ハンドピース本体２０に回転体２１を取り付けた状態では，内筒部２６の先端側端面と蓋体２７の筒状部２７ｂの基端側端面との間において，外筒２５の内周面と回転体２１の外周面との間に，略円筒形状の空間Ｓ１が形成される。前述した送水路１１，送気路１２は，この空間Ｓ１の基端側に連通させられており，送水路１１，送気路１２から空間Ｓ１内にそれぞれ流体として水，空気が供給されるようになっている。また，回転体２１の先端は，蓋体２７の先端側の端面から外部に突出させられるようになっている。
【００２５】
図４及び図５に示すように，回転体２１において，フランジ部４０より先端側には，回転体２１の外周面に沿った略円環状の環状溝４１が設けられている。フランジ部４０と環状溝４１との間の距離は，回転体保持穴３２における小径部３２ａの中心軸方向の長さとほぼ同じになっている。この環状溝４１には，例えばＯリングなどの弾性を有する略円環状の環状部材４２が備えられる。環状部材４２は，回転体保持穴３２の小径部３２ａより大きな外径を有している。
【００２６】
回転体２１を蓋体２７に取り付けるときは，回転体２１の先端部を蓋体２７の基端側端面から回転体保持穴３２の小径部３２ａに挿入させ，フランジ部２７ｂの先端側端面から突出させ，かつ，回転体２１のフランジ部４０を蓋体２７の大径部３２ｂに挿入させる。すると環状溝４１は，フランジ部２７ｂの先端側端面の近傍に配置される。この状態で，回転体２１の先端部から，環状部材４２を弾性変形させながら回転体２１に沿って基端側に向かって移動させ，環状溝４１内に入れるようにする。これにより，回転体保持穴３２の小径部３２ａの両側において，フランジ部４０の先端側端面と環状部材４２が，大径部３２ｂの内面，フランジ部２７ｂの先端部側外面にそれぞれ当接させられた状態となり，回転体２１が回転体保持穴３２から抜け落ちないように保持される構成となっている。
【００２７】
さらに，回転体２１には，フランジ部４０と環状溝４１との間に，回転体２１の外周面に沿った略円環状の環状溝４３が設けられている。この環状溝４３には，弾性を有する材質によって形成された例えばＯリングなどの略円環状の弾性部材４４が備えられる。一方，フランジ部４０より基端側には，回転体２１の外周面に沿った略円環状の環状溝４５が設けられている。この環状溝４５には，弾性を有する材質によって形成された例えばＯリングなどの略円環状の弾性部材４６が備えられる。
【００２８】
回転体２１をハンドピース本体２０に取り付けたとき，弾性部材４４は，環状溝４３と回転体保持穴３２の小径部３２ａの内周面との間において圧縮させられ，環状溝４３と小径部３２ａの内周面に沿って密着させられる。弾性部材４６は，環状溝４５と回転体保持穴２６ａの内周面との間において圧縮させられ，環状溝４５と回転体保持穴２６ａの内周面に沿って密着させられる。こうして，回転体２１の外周面と回転体保持穴３２の内周面との間，回転体２１の外周面と回転体保持穴２６ａの内周面との間が，それぞれ弾性部材４４，４６によってシールされるので，回転体２１の外面とハンドピース本体２０の内面との間の空間Ｓ１に供給された流体が，回転体２１の外周面と回転体保持穴３２の内周面との間や，回転体２１の外周面と回転体保持穴２６ａの内周面との間から外部に流出することを防止できる。また，回転体保持穴３２の内周面，回転体保持穴２６ａの内周面にそれぞれ弾性部材４４，４６が接触することで，各回転体保持穴３２，２６ａに対して回転体２１を回転させようとするとき，適度な摩擦力が与えられる。即ち，回転体２１を回転させようとする力に対する硬さを適度なものにすることができる。従って，例えば治療中等に操作者の意図に反して回転体２１及びプローブ２２が回転してしまうことを防止でき，安全性を高めることができる。
【００２９】
回転体２１の内側は，プローブ２２を保持するためのプローブ保持孔５０となっている。プローブ保持孔５０の開口断面は略円形状に形成されている。また，プローブ保持孔５０は，プローブ保持孔５０の基端側に設けられた小径部５０ａと，小径部５０ａより先端側に設けられた中径部５０ｂと，中径部５０ｂより先端側に設けられた大径部５０ｃとを備えている。中径部５０ｂは，小径部５０ａより若干大きな内径を有する。また，小径部５０ａ，中径部５０ｂは，それぞれ後述するプローブ２２の小径棒状部６３の外径，棒状部６１の外径とほぼ同じ内径を有しており，各々に小径棒状部６３，棒状部６１を挿入させた状態で保持するようになっている。一方，大径部５０ｃは，中径部５０ｂより若干大きな内径を有し，プローブ２２の外面との間に隙間Ｓ２を空けて離隔させられるようになっている。
【００３０】
また，図５及び図６に示すように，回転体２１には，回転体２１の外側から内側に向かって貫通するように設けられた連通孔５１が備えられている。連通孔５１は，フランジ部４０よりも基端側の部分に設けられ，図示の例では，大径部５０ｃを挟んで対向する２箇所にそれぞれ設けられている。各連通孔５１は，一端部がフランジ部４０より基端側の外面に開口させられ，他端部が大径部５０ｃの内周面に開口させられている。この連通孔５１は，回転体２１をハンドピース本体２０に取り付けたとき，図４に示すように，フランジ部４０より基端側において，回転体２１と外筒２５との間の空間Ｓ１に連通させられた状態となる。そして，空間Ｓ１と隙間Ｓ２が，連通孔５１を介して互いに連通させられる構成となっている。
【００３１】
図７に示すプローブ２２は，チゼル型レーザプローブであり，例えばサファイア，石英ガラス等の透光性を有する材質によって形成されている。また，プローブ２２は，一定の径で略円柱形状に形成された棒状部６１を有し，棒状部６１より先端側には，チゼル状（のみ状）に形成されたチゼル状部６２が設けられている。
【００３２】
棒状部６１の外径は，プローブ保持孔５０の中径部５０ｂの内径とほぼ同じ大きさである。棒状部６１の基端部には，プローブ保持孔５０の小径部５０ａの内径とほぼ同じ大きさの外径を有する小径棒状部６３が形成されている。
【００３３】
チゼル状部６２には，２つの平面状の傾斜面６２ａ，６２ｂが設けられている。傾斜面６２ａ，６２ｂは，プローブ２２の長さ方向における中心軸を挟んで互いに対向する位置に設けられ，また，先端側に向かうほど互いに近接するように，プローブ２２の中心軸に対してそれぞれ傾斜させられている。図７において，チゼル状部６２を傾斜面６２ａ又は６２ｂ側から見ると（即ち平面視においては），チゼル状部６２の幅はほぼ一定で，棒状部６１の外径とほぼ同じ幅になっているが，側面視においては，チゼル状部６２の厚みは，棒状部６１側から先端側に向かうほど小さくなっている。チゼル状部６２の先端側の端面６２ｃは，プローブ２２の中心軸に対して略垂直な略平面状になっており，略長方形状をなしている。
【００３４】
かかるプローブ２２を回転体２１に取り付ける際は，図４に示すように，棒状部６１，小径棒状部６３をそれぞれプローブ保持孔５０の小径部５０ａ，中径部５０ｂに挿入して，接着剤等により接着させることにより，回転体２１に対してプローブ２２を固定するようになっている。こうしてプローブ２２が固着させられた回転体２１をハンドピース本体２０に備えた状態では，プローブ２２は，回転体２１と一体的に，プローブ２２の中心軸を中心として，ハンドピース本体２０に対して回転自在に保持される。また，この状態においては，チゼル状部６２は回転体２１の先端から所定の長さだけ突出させられる。小径棒状部６３の基端側の端面（入射端）は，内筒部２６の内側において図示しないレンズに対向させられており，光ファイバ１０の出射端と光学的に結合するように位置決めされる。
【００３５】
また，棒状部６１の先端側外周面及びチゼル状部６２の外面と，プローブ保持孔５０の大径部５０ｃの内周面との間には，プローブ２２を囲むように，環状の開口断面を有する隙間Ｓ２が形成される。隙間Ｓ２の先端開口は，回転体２１の先端側端面において環状に開口させられている。また，前述したように，隙間Ｓ２には連通孔５１が連通させられている。即ち，送水路１１から空間Ｓ１に供給された水は，連通孔５１を介して隙間Ｓ２に流入し，回転体２１の先端部から吐出されるようになっている。本実施の形態において，回転体２１の先端部から吐出させられる水を供給する流体供給路６５は，送水路１１，空間Ｓ１，連通孔５１及び隙間Ｓ２を備えた構成になっている。また，送気路１２から空間Ｓ１に供給された空気は，連通孔５１を介して隙間Ｓ２に流入し，回転体２１の先端部から吐出されるようになっている。本実施の形態において，回転体２１の先端部から吐出させられる空気を供給する流体供給路６６は，送気路１２，空間Ｓ１，連通孔５１及び隙間Ｓ２を備えた構成になっている。
【００３６】
次に，かかるハンドピース５を組み立てる方法の一例を示す。先ずプローブ２２を回転体２１に挿入して固定し，回転体２１の環状溝４３には弾性部材４４を備える。そして，弾性部材４４を変形させながら，回転体２１の先端側の部分とフランジ部４０とを蓋体２７の回転体保持穴３２に大径部３２ｂ側から挿入した後，回転体２１の環状溝４１に環状部材４２を備える。こうして回転体２１を蓋体２７に取り付けたら，環状溝４５に弾性部材４６を備えた状態で，回転体２１の基端側の部分と蓋体２７の筒状部２７ｂとを外筒２５の先端部開口から外筒２５内に進入させ，蓋体２７を外筒２５に対して回転させることで，雌ネジ溝２８と雄ネジ溝３１とを螺合させ，蓋体２７を外筒２５に固定する。このように回転体２１と蓋体２７を外筒２５に挿入する際，回転体２１の基端側の部分は，弾性部材４６を変形させながら，回転体保持穴２６ａに挿入させる。こうしてハンドピース本体２０が組み立てられ，回転体２１がハンドピース本体２０に対して回転可能な状態で保持される。
【００３７】
以上のように構成されたレーザ装置１を用いて治療を行う際，操作者は，ハンドピース本体２０に対して回転体２１及びプローブ２２を適宜回転させることで，患部に対する端面６２ｃの向き，即ち，端面６２ｃから照射されるレーザ光の向きを調節する。レーザ光源において発生させられたレーザ光は，光ファイバ１０を介してハンドピース５に伝送され，図示しないレンズを介して，プローブ２２の小径棒状部６３の基端側の端面に入射し，棒状部６１，チゼル状部６２を通って，端面６２ｃから外部に出射させられる。こうして，プローブ２２から患部等に対してレーザ光が照射させられる。
【００３８】
また，患部に水を供給したいときは，装置本体２内の給水機を作動させ，送水路１１に水を送液させる。送水路１１に送液された水は，ハンドピース５内の空間Ｓ１，連通孔５１を介して隙間Ｓ２に供給され，プローブ２２の外面に沿って基端側から先端側に向かって流れ，回転体２１の先端から環状に噴射させられる。患部に空気を供給したいときは，装置本体２内の空気供給源を作動させ，送気路１２に空気を送気させる。送気路１２に送気された空気は，空間Ｓ１，連通孔５１を介して隙間Ｓ２に供給され，プローブ２２の外面に沿って基端側から先端側に向かって流れ，回転体２１の先端から環状に噴射される。このようにして，回転体２１の先端部から患部に対して，水や空気を適宜供給することができる。
【００３９】
かかるレーザ装置１によれば，ハンドピース本体２０に対してプローブ２２を回転させることで，患部に対するプローブの向きを適切かつ簡単に調節できる。従って，レーザ光照射時におけるハンドピース５の操作性が良好である。例えば歯牙と歯茎の間等にレーザ光を照射する場合などにも，レーザ光の照射方向を好適に調節でき，所望の位置にレーザ光を照射できる。ハンドピース本体２０に対しプローブ２２を回転させることが可能な構成としながらも，ハンドピース５から水や空気などの流体を患部に供給可能な構成にすることができる。
【００４０】
以上，本発明の好適な実施形態について説明したが，本発明はかかる例に限定されない。当業者であれば，特許請求の範囲に記載された技術的思想の範疇内において，各種の変更例または修正例に想到しうることは明らかであり，それらについても当然に本発明の技術的範囲に属するものと了解される。
【００４１】
本実施の形態では，ハンドピース本体２０は，外筒２５，内筒部２６，蓋体２７を備えた構成としたが，かかるものには限定されない。例えば蓋体２７を外筒２５に固定する形態は，ネジ止めによるものには限定されない。
【００４２】
本実施の形態では，プローブ２２はチゼル型プローブとしたが，プローブの形状はかかるものに限定されない。例えば図８に示すように，プローブ２２のテーパ面６２ａ，６２ｂの先端部に沿って，さらにテーパ面６２ｄ，６２ｅがそれぞれ設けられた形状であっても良い。また，図９に示すように，テーパ面６２ｄ，６２ｅが，平面視においてプローブ２２の中心軸方向（長さ方向）に対して傾斜した方向に向けられた形状であっても良い。
【００４３】
本実施の形態では，回転体２１の外周面と回転体保持穴３２の内周面との間に一個の弾性部材４４が設けられた構成としたが，回転体２１と回転体保持穴３２との間に設けられる弾性部材の個数は，複数にしても良い。また，回転体２１の外周面と回転体保持穴２６ａの内周面との間に一個の弾性部材４６が設けられた構成としたが，回転体２１と回転体保持穴２６ａとの間に設けられる弾性部材の個数は，複数にしても良い。そうすれば，回転体２１と回転体保持穴３２（２６ａ）との間をより確実にシールでき，空間Ｓ１から流体が漏れることをさらに確実に防止できる。また，回転体保持穴３２（２６ａ）の内周面に複数の弾性部材が接触することで，一つの弾性部材のみを装着した場合よりも，回転体保持穴３２（２６ａ）に対して回転体２１を回転させようとするときに生じる摩擦力が強くなる。即ち，回転体２１を回転させようとする力に対する硬さを向上させることができる。例えば図１０に示すように，回転体２１の外面において環状溝４３に隣接した位置に，略円環状の第二の環状溝７１を設け，この環状溝に，例えばＯリングなどの弾性を有する略円環状の弾性部材７２を備えても良い。
【００４４】
また，回転体２１の外周面と回転体保持穴３２（２６ａ）の内周面との間に備える弾性部材の個数及び／又は種類を変更可能な構成とし，弾性部材の個数や種類を変更することで，ハンドピース本体２０に対する回転体２１の回転の硬さを調節できるようにしても良い。例えば回転体保持穴３２に挿入される位置に環状溝を２以上設けておき，弾性部材を選択的に装着できるようにしても良い。そうすれば，回転体２１と回転体保持穴３２との間に装着する弾性部材の個数を変えることで，回転体２１を回転させようとするときに生じる摩擦力を調整できるので，操作者の好みに応じて，回転体２１の回転の硬さを調節することができる。同様に，回転体保持穴２６ａに挿入される位置に環状溝を２以上設けておき，弾性部材を選択的に装着できるようにしても良い。この場合も，回転体２１と回転体保持穴２６ａとの間に装着する弾性部材の個数を変えることで，回転体２１を回転させようとするときに生じる摩擦力を調整できるので，操作者の好みに応じて，回転体２１の回転の硬さを調節することができる。また，例えば材質，形状，大きさ（外径）あるいは太さ等の性状が異なる複数種類の弾性部材を用意しておき，これらを各環状溝に選択的に装着するようにしても良い。そうすれば，回転体２１と回転体保持穴３２（２６ａ）との間に装着する弾性部材の種類を変えることで，回転体２１を回転させようとするときに生じる摩擦力を調整できるので，操作者の好みに応じて，回転体２１の回転の硬さを調節することができる。
【００４５】
なお，例えば図１に示すように回転体２１がハンドピース本体２０に組み込まれたハンドピース５において，回転体２１と回転体保持穴２６ａとの間に装着する弾性部材４６の交換を行う際は，先ず蓋体２７を外筒２５に対して回転させることで，雌ネジ溝２８と雄ネジ溝３１との螺合を解除させながら，蓋体２７を外筒２５の先端部開口から後退させて抜き取り，回転体２１を蓋体２７とともに後退させて，回転体保持穴２６ａから抜き取り，外筒２５の先端部開口から後退させて抜き取る。これにより，弾性部材４６が露出した状態となり，環状溝４５に対して弾性部材４６の取り外し又は取り付けを行うことが可能な状態となる。また，回転体２１と回転体保持穴３２との間に装着する弾性部材４４の交換を行う際は，回転体２１と蓋体２７を外筒２５から抜き取った後，回転体２１の環状溝４１から環状部材４２を取り外し，回転体２１を大径部３２ｂ側から引き抜き，蓋体２７から分離すれば良い。これにより，弾性部材４４が露出した状態となり，環状溝４３に対して弾性部材４４の取り外し又は取り付けを行うことが可能な状態となる。このようにハンドピース５を分解し，弾性部材４６や弾性部材４４を交換した後は，上記実施の形態において例示したハンドピース５の組立方法に従って，回転体２１をハンドピース本体２０に組み込むようにすれば良い。以上のようにして，回転体２１と回転体保持穴２６ａ（３２）との間に装着する弾性部材の付け外しや，異なる種類の弾性部材への交換を，簡単に行うことができる。また，同様にしてハンドピース５の分解及び組立を行うことにより，回転体保持穴２６ａ（３２）に挿入される位置に２以上の環状溝を備えた回転体２１においても，回転体２１と回転体保持穴２６ａ（３２）との間に装着する弾性部材の個数の増減を，簡単に行うことができる。
【００４６】
本実施の形態では，歯科用のレーザ装置１について説明したが，本発明は歯科用の装置に限定されず，また，ヒトの歯牙に対する窩洞形成，ヒトの歯石除去等の治療を行うための装置に限定されない。本発明は，レーザ光を照射することにより，各種の生体組織に対して蒸散，切開，凝固，止血など様々な処置を行うレーザ装置に適用することができる。例えば外科，眼科，その他の様々な分野において使用されるレーザ装置に適用可能である。また，Ｅｒ：ＹＡＧレーザ光を用いるレーザ装置に限定されず，例えばＣＯ２レーザ光等を用いるものであっても良い。光伝送路は光ファイバに限定されず，例えば中空伝送路等であっても良い。
【産業上の利用可能性】
【００４７】
本発明は，例えば歯科治療，生体組織の切開等を行う医療用のレーザ装置に適用できる。
【図面の簡単な説明】
【００４８】
【図１】レーザ装置の概略斜視図である。
【図２】ハンドピースの概略側面図である。
【図３】ハンドピースの概略側面図である。
【図４】ハンドピースの先端側の構造を示す概略縦断面図である。
【図５】回転体の側面図である。
【図６】図５におけるＡ−Ａ線による横断面図である。
【図７】プローブの斜視図である。
【図８】別の実施形態にかかるプローブの斜視図である。
【図９】他の実施形態にかかるプローブの斜視図である。
【図１０】回転体に第二の環状溝及び弾性部材を備えた実施形態にかかる，ハンドピースの先端側の構造を示す概略縦断面図である。
【符号の説明】
【００４９】
Ｓ１    空間
Ｓ２    隙間
１      レーザ装置
３      導光部
５      ハンドピース
１０    光ファイバ
１１    送水路
１２    送気路
２０    ハンドピース本体
２１    回転体
２２    プローブ
２６ａ  回転体保持穴
３２    回転体保持穴
４４，４６  弾性部材
５１    連通孔
６５，６６    流体供給路
【図１】
2007068718.tif 000003
【図２】
2007068718.tif 000004
【図３】
2007068718.tif 000005
【図４】
2007068718.tif 000006
【図５】
2007068718.tif 000007
【図６】
2007068718.tif 000008
【図７】
2007068718.tif 000009
【図８】
2007068718.tif 000010
【図９】
2007068718.tif 000011
【図１０】
2007068718.tif 000012